(57)【特許請求の範囲】
【請求項１】
底部、前記底部に設けられた筒状の胴部、及び前記胴部の開口端外周縁に設けられたフランジ部を有する容器本体と、
外面側から前記フランジ部側に向かって順に、基材層、電磁波を吸収して発熱する発熱層及び前記容器本体と接着性を有するシール層を有し、前記シール層が前記フランジ部に接着され、端部の全周が前記フランジ部の外周縁から前記容器本体の前記底部側に突出する皿状に構成される、前記容器本体を密封する蓋体と、
を備え、
前記フランジ部は、前記胴部から外方に延びる平面部と、前記平面部の外周縁から前記底部側に突出する突出部とを有し、
前記蓋体は、前記平面部及び前記突出部に接着され、
前記発熱層は、前記フランジ部から前記蓋体の中央側の範囲に配置され、
液状成分を含む食品が収容され、前記蓋体が下方となる姿勢で電子レンジ内に配置されることを特徴とする電子レンジ用容器。
【請求項２】
前記蓋体は、前記底部まで延びることを特徴とする請求項１に記載の電子レンジ用容器。
【請求項３】
前記発熱層は、前記フランジ部の周辺に配置される第１発熱体と、前記フランジ部よりも前記蓋体の中央側に配置され、前記第１発熱体よりも発熱量の大きい第２発熱体とを備えることを特徴とする請求項１に記載の電子レンジ用容器。
【発明の詳細な説明】
【技術分野】
【０００１】
本発明は、電子レンジにより加熱する内容物を収容する電子レンジ用容器に関する。
【背景技術】
【０００２】
従前から、電子レンジにより加熱する内容物を収容する容器として、種々の技術が提案されている。例えば、電子レンジ用の容器として、カップ型の容器本体に設けられる蓋体に、マイクロ波を吸収することで発熱する発熱体を積層する技術が知られている（例えば、特許文献１及び特許文献２参照）。このような電子レンジ用容器は、電子レンジによって内容物を加熱するときに、当該発熱体が発する熱でシール層の樹脂を溶融し、シール強度を低下させることで、開封性が向上する。
【０００３】
また、容器本体の内容物と接触する箇所に発熱体を設け、電子レンジによって内容物を加熱するときに、当該発熱体に接触する内容物を調理する技術も知られている（例えば、特許文献３及び特許文献４参照）。
【先行技術文献】
【特許文献】
【０００４】
【特許文献１】特開２０１３−６６０７号公報
【特許文献２】特開２０１３−２０３４４７号公報
【特許文献３】特開２００１−３２２６８４号公報
【特許文献４】特開２０１２−１６５８４１号公報
【発明の概要】
【発明が解決しようとする課題】
【０００５】
上述した電子レンジ用容器では、以下の問題があった。即ち、蓋体の開封性を向上し、且つ、内容物を調理可能な容器とするために、容器本体及び蓋体の双方に発熱体を設けると、製造コストが増加する、という問題がある。特に、このような容器は、内容物を加熱し、使用した後は廃棄されることが多く、製造コストの低減が求められている。
【０００６】
例えば、蓋体にのみ発熱体を設け、電子レンジで内容物を加熱するときに、蓋体を下方に配置して加熱することも考えられる。
【０００７】
しかし、加熱により容器の内圧が上昇すると、当該圧力により容器本体及び蓋体のシール面の一部から内圧が逃げるとともに、当該部位から容器の外部に内容物の液状成分が流出する虞がある。内容物の液状成分が容器から外部に流出すると、電子レンジを汚す、という問題がある。
【０００８】
そこで、本発明は、電子レンジ加熱により蓋体の開封性を向上させるとともに、内容物の調理が可能、且つ、加熱時の内容物の液状成分の漏出を防止できる電子レンジ用容器を提供することを目的とする。
【課題を解決するための手段】
【０００９】
前記課題を解決し目的を達成するために、本発明の電子レンジ用容器は、次のように構成されている。
【００１０】
本発明の一態様として、電子レンジ用容器は、底部、前記底部に設けられた筒状の胴部、及び前記胴部の開口端外周縁に設けられたフランジ部を有する容器本体と、外面側から前記フランジ部側に向かって順に、基材層、電磁波を吸収して発熱する発熱層及び前記容器本体と接着性を有するシール層を有し、前記シール層が前記フランジ部に接着され、端部の全周が前記フランジ部の外周縁から前記容器本体の前記底部側に突出する皿状に構成される、前記容器本体を密封する蓋体と、を備え、前記フランジ部は、前記胴部から外方に延びる平面部と、前記平面部の外周縁から前記底部側に突出する突出部とを有し、前記蓋体は、前記平面部及び前記突出部に接着され、前記発熱層は、前記フランジ部から前記蓋体の中央側の範囲に配置され、液状成分を含む食品が収容され、前記蓋体が下方となる姿勢で電子レンジ内に配置される。
【発明の効果】
【００１１】
本発明によれば、電子レンジ加熱により蓋体の開封性を向上させるとともに、内容物の調理が可能、且つ、加熱時の内容物の液状成分の漏出を防止できる電子レンジ用容器を提供することが可能となる。
【図面の簡単な説明】
【００１２】
【図１】本発明の第１の実施形態に係る電子レンジ用容器の構成を示す斜視図。
【図２】同電子レンジ用容器の構成を示す断面斜視図。
【図３】同電子レンジ用容器の構成を示す平面図。
【図４】同電子レンジ用容器の構成を示す断面図。
【図５】同電子レンジ用容器に用いられる蓋体の構成を示す断面図。
【図６】本発明の第２の実施形態に係る電子レンジ用容器の構成を示す断面図。
【図７】本発明の第３の実施形態に係る電子レンジ用容器の構成を示す断面図。
【図８】本発明の第４の実施形態に係る電子レンジ用容器の構成を示す断面図。
【図９】本発明の第５の実施形態に係る電子レンジ用容器の構成を示す断面図。
【図１０】本発明の第６の実施形態に係る電子レンジ用容器の構成を示す断面図。
【図１１】本発明の変形例に係る電子レンジ用容器の蓋体の構成を示す断面図。
【発明を実施するための形態】
【００１３】
（第１の実施形態）
以下、本発明の第１の実施形態に係る電子レンジ用容器１の構成を、図１乃至図５を用いて説明する。  
図１は、本発明の第１の実施形態に係る電子レンジ用容器１の構成を示す斜視図、図２は、電子レンジ用容器１の構成を示す断面斜視図、図３は電子レンジ用容器１の構成を示す平面図、図４は、電子レンジ用容器１の構成を示す断面図、図５は、電子レンジ用容器１に用いられる蓋体１２の構成を示す断面図である。
【００１４】
図１乃至図４に示すように、電子レンジ用容器１は、容器本体１１と、蓋体１２と、を備えている。電子レンジ用容器１は、容器本体１１及び蓋体１２により構成される内部空間に内容物１００が収容される。また、電子レンジ用容器１は、内容物１００の加熱時に、蓋体１２を下方にして電子レンジ内に配置され、加熱される。ここで、内容物１００とは、餃子、焼売、焼き魚、焼き肉、ハンバーグ等の食品である。
【００１５】
容器本体１１は、皿状、椀状及びカップ状等の有底筒状に構成される。容器本体１１は、板状の底部２１と、底部２１の周縁部から延びる筒状の胴部２２と、胴部２２の開口端に設けられたフランジ部２３と、を有する。
【００１６】
容器本体１１は、ポリプロピレンやポリエチレン等のオレフィン系樹脂やポリエチレンテレフタレート等のポリエステル系樹脂等の樹脂材料を圧空成形や射出成形等により成形することで構成される。
【００１７】
底部２１は、矩形板状や円形板状に構成される。本実施形態においては、底部２１は矩形板状に構成される例を用いて説明する。胴部２２は、底部２１の外周部に連続して設けられた筒状に構成される。
【００１８】
フランジ部２３は、胴部２２の開口端の外周縁から外方に延びる。フランジ部２３は、電子レンジ用容器１を電子レンジ内に配置した状態で、電子レンジ内の底面上に位置し、且つ、当該状態で水平方向に延びる平面部２３ａと、平面部２３ａの外周部に連続して設けられ、底部２１側に突出する突出部２３ｂと、を備えている。突出部２３ｂは、平面部２３ａから所定の曲率に湾曲して底部２１側に突出する。換言すると、フランジ部２３は、平面状に構成されるとともに、その外周縁が湾曲して構成される。
【００１９】
蓋体１２は、フランジ部２３の平面部２３ａに気密に接着されることで、内容物１００が収容された容器本体１１を密封する。蓋体１２は、その端部が、フランジ部２３の平面部２３ａから容器本体１１の底部２１側に延びる皿状に構成される。蓋体１２は、熱によりフランジ部２３に接着される。換言すると、蓋体１２は、容器本体１１のフランジ部２３にヒートシールされる。
【００２０】
蓋体１２は、複数の材料により構成された積層材料により構成された皿状のシートである。具体的には、図５に示すように、蓋体１２は、外面側からフランジ部２３に接着される側に向かって順に、一体に積層された基材層３１、発熱体層３２及びシール層３３を備えている。蓋体１２はシール層３３がフランジ部２３に接着される。
【００２１】
本実施形態においては、蓋体１２は、基材層３１が印刷フィルムにより、発熱体層３２が発熱フィルムにより、シール層３３がシール層塗装フィルムにより構成される。また、蓋体１２は、基材層３１、発熱体層３２及びシール層３３の間に、接着層３４を有する。
【００２２】
基材層３１は、樹脂フィルムや紙材等により構成される。例えば、基材層３１は、基材であるＰＥＴフィルム４１と、ＰＥＴフィルム４１の一面にグラビア印刷により内容物１００の情報等が印刷されたグラビア印刷層４２と、を備えている。
【００２３】
なお、基材層３１の基材は、ＰＥＴフィルム４１以外の樹脂フィルムであってもよく、例えば、ポリエチレンテレフタレート等のポリエステル系樹脂や、ナイロン６等のポリアミド系樹脂等の熱可塑性樹脂フィルムを好適に使用することができる。
【００２４】
発熱体層３２は、電磁波であるマイクロ波を吸収することで発熱する導電性物質の蒸着膜、導電性インク、金属箔等による薄膜により構成される。ここで、導電性物質としては、アルミニウム、錫、亜鉛、鉄、銅等の金属や、これら金属の酸化物の１種又は２種以上の混合物を使用することができる。
【００２５】
発熱体層３２は、基材であるＰＥＴフィルム５１と、ＰＥＴフィルム５１の一面に設けられた金属蒸着膜５２と、金属蒸着膜５２の一面に設けられた保護層５３と、を備えている。
【００２６】
金属蒸着膜５２は、ＰＥＴフィルム５１の表面に金属蒸着によって、例えば、アルミニウムと酸化アルミニウムとの混合物により膜状に構成される。金属蒸着膜５２は、電子レンジにより内容物１００を加熱するときに蓋体１２に求められる発熱量により、その面積、形状及び厚さ等が適宜設定される。
【００２７】
例えば、金属蒸着膜５２の材料は、材料コストや生産性を鑑みると、アルミニウム単独、又はアルミニウムと酸化アルミニウムとの混合物による蒸着膜を使用することが好ましい。金属蒸着膜５２の材料に当該混合物を使用する場合には、アルミニウムと酸化アルミニウムとの質量比は、４：１〜１：９であることがより好ましい。金属蒸着膜５２の厚さは、３０〜１００ｎｍが好ましい。
【００２８】
金属蒸着膜５２は、図３及び図５に示すように、格子状にパターニングされることで、方形状の発熱体５２ａが等間隔で複数配置される。複数の発熱体５２ａは、容器本体１１の胴部２２が方形筒状である場合には、蓋体１２が容器本体１１に接着したときに、直線状に延びる胴部２２の一つの辺に対して傾斜する方向に並ぶように配列される。換言すると、発熱体層３２の発熱体５２ａが形成されていない欠落部は、少なくともフランジ部２３の直線状に延びる延設方向に対して斜め方向に傾斜して延在する格子状に形成されている。
【００２９】
金属蒸着膜５２は、複数の発熱体５２ａを所定の大きさに分割することで、発熱体５２ａによる発熱温度を制御している。具体的には、発熱体５２ａによる発熱温度は、容器本体１１とのシール面を溶融する以上の温度、換言するとシール層３３の融点以上の温度であって、かつ、蓋体１２を熱により損傷しない程度の温度になるように、発熱体５２ａの形状や間隔等を設定することで制御される。
【００３０】
金属蒸着膜５２は、電子レンジにより内容物１００を加熱した時に、発熱体５２ａがマイクロ波を吸収することで各発熱体５２ａが発熱する機能を有する。
【００３１】
保護層５３は、塩化酢酸ビニル系樹脂等により構成される。なお、発熱体層３２は、保護層５３側の表面から接着層３４が設けられることで、保護層５３上、並びに、金属蒸着膜５２及び保護層５３が設けられていないＰＥＴフィルム５１上が接着層３４に覆われる。
【００３２】
このような金属蒸着膜５２は、ＰＥＴフィルム５１の表面全体に金属蒸着膜を成形し、その上に蒸着した膜を除去する部位に部分的に耐酸性又は耐アルカリ性の保護層５３を形成し、保護層５３で覆われた部分以外を酸やアルカリによって洗浄して除去することで構成される。
【００３３】
シール層３３は、比較的低融点の熱可塑性樹脂を主体とする塗膜やフィルムにより形成されている。基材となるＰＥＴフィルム６１と、ＰＥＴフィルム６１にシリカやアルミナ等を蒸着した無機蒸着膜６２と、無機蒸着膜６２上に設けられた熱可塑性樹脂を主とする塗膜からなる塗膜層６３と、を有する。
【００３４】
無機蒸着膜６２は、ＰＥＴフィルム６１及び塗膜層６３の密着性を向上させる。無機蒸着膜６２は、電子レンジでの加熱時に発熱しない非導電性物質から構成されている。
【００３５】
塗膜層６３は、熱可塑性樹脂を主体とする塗膜により形成されている。塗膜層６３に用いられる塗膜は、例えば、熱可塑性樹脂の微粒子を溶媒に分散させた塗料をＰＥＴフィルム６１に塗布し、塗料を加熱して焼き付けることによって塗料中の樹脂が溶融させられ、薄膜状の塗膜として形成される。
【００３６】
塗膜層６３の塗膜を構成する熱可塑性樹脂としては、ポリプロピレン、ポリエチレン等のオレフィン系樹脂やポリエチレンテレフタレート等のポリエステル系樹脂等を好適に使用することができる。また、塗膜層６３の塗膜を構成する熱可塑性樹脂の融点は、１３０〜２５０℃の範囲とすることが好ましい。このシール層３３は、ヒートシール等によって容器本体１１の縁面であるフランジ部２３の平面部２３ａに接着される。シール層３３の厚さは、１〜１５μｍの範囲に設定されることが好ましい。
【００３７】
接着層３４は、接着性を有する熱硬化性樹脂を主体とすることが好ましい。例えば、接着層３４は、エポキシ樹脂、ポリエステル樹脂、エポキシとポリエステルの共重合樹脂等の樹脂を主剤とし、メラミン樹脂、イソシアネート樹脂等の硬化剤を含む樹脂組成物よりなる接着性樹脂材料が使用できる。
【００３８】
このように構成された電子レンジ用容器１は、内容物１００を電子レンジで加熱するときに、蓋体１２が下方となるように、電子レンジ内に配置される。これにより、内容物１００は、蓋体１２の内面に接するように、電子レンジ用容器１内に配置される。また、電子レンジで内容物１００を加熱したときに、発熱体５２ａがマイクロ波を吸収して発熱する。
【００３９】
これらのことにより、内容物１００は、電子レンジのマイクロ波によって直接的に加熱されるとともに、発熱した発熱体５２ａによって蓋体１２と接触する位置が加熱、調理される。
【００４０】
また、フランジ部２３に位置する発熱体５２ａが発熱することで、シール層３３が加熱され、シール層３３の塗膜層６３が溶融する。結果、蓋体１２の発熱体５２ａが設けられた部位のシール強度が低下し、蓋体１２の開封性が向上する。
【００４１】
また、発熱体層３２は、発熱体５２ａを所定の間隔を有して設ける構成、換言すると、複数の発熱体５２ａの間に、発熱する金属蒸着膜５２が配置されない欠落部を有する構成である。また、蓋体１２は、発熱体層３２の当該欠落部の延びる方向がフランジ部２３の直線状に延びる方向に対して斜め方向に傾斜して、フランジ部２３にヒートシールされる。
【００４２】
このような構成により、電子レンジによる内容物１００の加熱時に、蓋体１２及びフランジ部２３の間のシール強度が高いところと低いところが交互に存在することになる。これにより、電子レンジによる内容物１００の加熱後に、蓋体１２全体がフランジ部２３から剥がれることを抑制できる。
【００４３】
結果、電子レンジで内容物１００を加熱した後に、容器本体１１を把持して電子レンジ用容器１を持ち上げたときに、蓋体１２がフランジ部２３から剥がれて、内容物１００が落下することを抑制できる。
【００４４】
また、蓋体１２の端部は、フランジ部２３の平面部２３ａから容器本体１１の底部２１側に延びる皿状に構成される。このため、電子レンジで内容物１００を加熱したときに、電子レンジ用容器１の内圧が上昇し、蓋体１２及びフランジ部２３の間のいずれかが剥がれ、当該剥がれた部位から内圧が逃げた場合であっても、当該部位から容器本体１１の外部に移動した内容物１００の液状成分は、蓋体１２の端部により堰き止める。結果、内容物１００の液状成分が電子レンジ内に流出することを防止でき、電子レンジを汚すことがない。
【００４５】
さらに、電子レンジ用容器１は、加熱時に蓋体１２を重力方向で下方となるように配置する構成である。このため、発熱体５２ａは、蓋体１２にのみ設ければよく、電子レンジによる加熱によって蓋体１２の開封性を向上可能であって、且つ、内容物１００の調理が可能な構成としても、製造コストが増加することを防止することができる。
【００４６】
上述したように本発明の第１の実施形態に係る電子レンジ用容器１によれば、電子レンジ加熱により蓋体１２の開封性を向上させるとともに、内容物１００の調理が可能、且つ、加熱時の内容物１００の液状成分の漏出を防止できる。
【００４７】
（第２の実施形態）
次に、本発明の第２の実施形態に係る電子レンジ用容器１Ａについて、図６を用いて説明する。  
図６は、電子レンジ用容器１Ａの構成を示す断面図である。なお、第２の実施形態に係る電子レンジ用容器１Ａの構成中、第１の実施形態に係る電子レンジ用容器１と同様の構成には同一符号を付し、その詳細な説明は省略する。
【００４８】
図６に示すように、電子レンジ用容器１Ａは、容器本体１１と、蓋体１２と、を備えている。電子レンジ用容器１Ａの蓋体１２は、容器本体１１のフランジ部２３の平面部２３ａに加え、突出部２３ｂの外面に接着される構成である。即ち、第１の実施形態に係る電子レンジ用容器１は、蓋体１２がフランジ部２３の平面部２３ａにのみ接着される構成であるのに対し、第２の実施形態に係る電子レンジ用容器１Ａは、蓋体１２がフランジ部２３の平面部２３ａ及び突出部２３ｂに接着される構成である。
【００４９】
このように構成された電子レンジ用容器１Ａは、上述した電子レンジ用容器１と同様に、電子レンジ加熱により蓋体１２の開封性を向上させるとともに、内容物１００の調理が可能、且つ、加熱時の内容物１００の液状成分の漏出を防止できる。
【００５０】
（第３の実施形態）
次に、本発明の第３の実施形態に係る電子レンジ用容器１Ｂについて、図７を用いて説明する。  
図７は、電子レンジ用容器１Ｂの構成を示す断面図である。なお、第３の実施形態に係る電子レンジ用容器１Ｂの構成中、第１の実施形態に係る電子レンジ用容器１及び第２の実施形態に係る電子レンジ用容器１Ａと同様の構成には同一符号を付し、その詳細な説明は省略する。
【００５１】
図７に示すように、電子レンジ用容器１Ｂは、容器本体１１と、蓋体１２Ｂと、を備えている。電子レンジ用容器１Ｂは、容器本体１１及び蓋体１２Ｂからなる内部空間に内容物１００が収容される。また、電子レンジ用容器１Ｂは、内容物１００の加熱時に、蓋体１２を下方にして電子レンジ内に配置され、加熱される。
【００５２】
蓋体１２Ｂは、フランジ部２３の平面部２３ａ及び突出部２３ｂ、並びに、底部２１及び胴部２２の稜部に接着される。具体的には、蓋体１２Ｂは、その端部が、フランジ部２３の平面部２３ａから容器本体１１の底部２１及び胴部２２の稜部まで延びる椀状に構成される。蓋体１２Ｂは、熱によりフランジ部２３並びに底部２１及び胴部２２の稜部に接着される。換言すると、蓋体１２Ｂは、容器本体１１のフランジ部２３の平面部２３ａ及び突出部２３ｂ、並びに、底部２１及び胴部２２の稜部にヒートシールされる。
【００５３】
蓋体１２Ｂは、蓋体１２、１２Ａと同様に、外面側からフランジ部２３に接着される側に向かって順に、一体に積層された基材層３１、発熱体層３２及びシール層３３を備えている。
【００５４】
このように構成された電子レンジ用容器１Ｂは、上述した電子レンジ用容器１、１Ａと同様に、電子レンジ加熱により蓋体１２の開封性を向上させるとともに、内容物１００の調理が可能、且つ、加熱時の内容物１００の液状成分の漏出を防止できる。また、電子レンジ用容器１Ｂは、蓋体１２Ｂが容器本体１１の底部２１及び胴部２２の稜部まで設けられることから、加熱時に内容物１００の液状成分を確実に堰き止めることが可能となる。
【００５５】
（第４の実施形態）
次に、本発明の第４の実施形態に係る電子レンジ用容器１Ｃについて、図８を用いて説明する。  
図８は、電子レンジ用容器１Ｃの構成を示す断面図である。なお、第４の実施形態に係る電子レンジ用容器１Ｃの構成中、上述の実施形態に係る電子レンジ用容器１、１Ａ、１Ｂと同様の構成には同一符号を付し、その詳細な説明は省略する。
【００５６】
図８に示すように、電子レンジ用容器１Ｃは、容器本体１１と、蓋体１２Ｃと、を備えている。電子レンジ用容器１Ｃは、容器本体１１内及び蓋体１２Ｃからなる内部空間に内容物１００が収容される。また、電子レンジ用容器１Ｃは、内容物１００の加熱時に、蓋体１２を下方にして電子レンジ内に配置され、加熱される。
【００５７】
蓋体１２Ｃは、フランジ部２３の平面部２３ａ及び突出部２３ｂ、並びに、底部２１及び胴部２２の稜部に接着される。具体的には、蓋体１２Ｃは、その端部が、フランジ部２３の平面部２３ａから容器本体１１の底部２１の主面中央側まで延びる椀状に構成される。蓋体１２Ｃは、熱によりフランジ部２３及び底部２１に接着される。換言すると、蓋体１２Ｃは、容器本体１１のフランジ部２３の平面部２３ａ及び突出部２３ｂ、並びに、底部２１の主面にヒートシールされる。
【００５８】
蓋体１２Ｃは、蓋体１２、１２Ａ、１２Ｂと同様に、外面側からフランジ部２３に接着される側に向かって順に、一体に積層された基材層３１、発熱体層３２及びシール層３３を備えている。
【００５９】
このように構成された電子レンジ用容器１Ｃは、上述した電子レンジ用容器１、１Ａ、１Ｂと同様に、電子レンジ加熱により蓋体１２の開封性を向上させるとともに、内容物１００の調理が可能、且つ、加熱時の内容物１００の液上成分の漏出を防止できる。また、電子レンジ用容器１Ｃは、蓋体１２Ｃが容器本体１１の底部２１まで設けられることから、電子レンジ用容器１Ｂと同様に、加熱時に内容物１００の液状成分を確実に堰き止めることが可能となる。
【００６０】
（第５の実施形態）
次に、本発明の第５の実施形態に係る電子レンジ用容器１Ｄについて、図９を用いて説明する。  
図９は、電子レンジ用容器１Ｄの構成を示す断面図である。なお、第５の実施形態に係る電子レンジ用容器１Ｄの構成中、上述の実施形態に係る電子レンジ用容器１、１Ａ、１Ｂ、１Ｃと同様の構成には同一符号を付し、その詳細な説明は省略する。
【００６１】
図９に示すように、電子レンジ用容器１Ｄは、容器本体１１と、蓋体１２Ｄと、を備えている。電子レンジ用容器１Ｄは、容器本体１１内及び蓋体１２Ｄからなる内部空間に内容物１００が収容される。また、電子レンジ用容器１Ｄは、内容物１００の加熱時に、蓋体１２を下方にして電子レンジ内に配置され、加熱される。
【００６２】
蓋体１２Ｄは、フランジ部２３の平面部２３ａ及び突出部２３ｂ、並びに、底部２１に接着されるとともに、底部２１において、端部が積層される。具体的には、蓋体１２Ｄは、その端部が、フランジ部２３の平面部２３ａから容器本体１１の底部２１の主面中央を越えて延びる椀状に構成され、端部が底部２１の主面中央で積層される。蓋体１２Ｄは、熱によりフランジ部２３及び底部２１に接着されるとともに、端部同士が接着される。換言すると、蓋体１２Ｄは、容器本体１１のフランジ部２３の平面部２３ａ及び突出部２３ｂ、並びに、底部２１の主面上にヒートシールされる。
【００６３】
蓋体１２Ｄは、蓋体１２、１２Ａ、１２Ｂ、１２Ｃと同様に、外面側からフランジ部２３に接着される側に向かって順に、一体に積層された基材層３１、発熱体層３２及びシール層３３を備えている。
【００６４】
このように構成された電子レンジ用容器１Ｄは、上述した電子レンジ用容器１、１Ａ、１Ｂ、１Ｃと同様に、電子レンジ加熱により蓋体１２の開封性を向上させるとともに、内容物１００の調理が可能、且つ、加熱時の内容物１００の液状成分の漏出を防止できる。また、電子レンジ用容器１Ｄは、蓋体１２Ｄの端部が容器本体１１の底部２１の中央において積層され、ヒートシールされることで接着して設けられることから、電子レンジ用容器１Ｂ、１Ｃと同様に、加熱時に内容物１００の液状成分を確実に堰き止めることが可能となる。
【００６５】
（第６の実施形態）
次に、本発明の第６の実施形態に係る電子レンジ用容器１Ｅについて、図１０を用いて説明する。  
図１０は、電子レンジ用容器１Ｄの構成を示す断面図である。なお、第６の実施形態に係る電子レンジ用容器１Ｅの構成中、上述の実施形態に係る電子レンジ用容器１、１Ａ、１Ｂ、１Ｃ、１Ｄと同様の構成には同一符号を付し、その詳細な説明は省略する。
【００６６】
図１０に示すように、電子レンジ用容器１Ｅは、容器本体１１と、蓋体１２Ｅと、蓋体１２を覆うカバー１３と、を備えている。
【００６７】
蓋体１２Ｅは、方形のシート状に構成され、フランジ部２３の平面部２３ａに接着される。蓋体１２Ｅは、熱によりフランジ部２３に接着される。換言すると、蓋体１２Ｅは、容器本体１１のフランジ部２３にヒートシールされる。
【００６８】
蓋体１２Ｅは、蓋体１２、１２Ａ、１２Ｂ、１２Ｃ、１２Ｄと同様に、外面側からフランジ部２３に接着される側に向かって順に、一体に積層された基材層３１、発熱体層３２及びシール層３３を備えている。
【００６９】
カバー１３は、樹脂材料により構成された、蓋体１２Ｅを覆うオーバーキャップである。カバー１３は、その周縁部が突出する皿状に構成される。カバー１３は、蓋体１２を覆った状態で、周縁部が容器本体１１の底部２１側に突出し、蓋体１２Ｅ及びフランジ部２３のシール部の周囲を覆う。カバー１３は、蓋体１２Ｅよりも厚さを厚くするなどの手段により、蓋体１２Ｅよりも剛性が高くなるように構成されている。
【００７０】
このように構成された電子レンジ用容器１Ｅによれば、蓋体１２Ｅがフランジ部２３に接着されることで、電子レンジ加熱により蓋体１２Ｅの発熱体層３２が発熱し、シール層３３の塗膜層６３を溶融することで、蓋体１２Ｅの開封性を向上させるとともに、内容物１００の調理が可能となる。
【００７１】
また、電子レンジ用容器１Ｅは、皿状に構成されたカバー１３により、蓋体１２Ｅ及びフランジ部２３のシール部の周囲を覆う構成である。この構成により、電子レンジで内容物１００を加熱したときに、電子レンジ用容器１の内圧が上昇し、蓋体１２及びフランジ部２３の間のいずれかが剥がれ、内圧が逃げた場合であっても、当該部位から容器本体１１の外部に移動した内容物１００の液状成分は、カバー１３の周縁部により堰き止められる。これにより、電子レンジ用容器１Ｅは、電子レンジによる加熱時の内容物１００の漏出を防止できる。
【００７２】
なお、本発明は前述の実施形態に限定されるものではない。上述した例では、蓋体１２、１２Ａ、１２Ｂ、１２Ｃ、１２Ｄ、１２Ｅは、発熱体層３２に、同一形状の複数の発熱体５２ａが等間隔で複数配置される構成を説明したがこれに限定されない。即ち、発熱体層３２は、異なる形状の複数の発熱体を備える構成であってもよい。
【００７３】
例えば、図１１に示す本発明の変形例に係る電子レンジ用容器１Ｆの蓋体１２Ｆのように、蓋体１２Ｆの発熱体層３２は、電子レンジによる内容物１００の加熱時に、シール強度を低下し、蓋体１２Ｆの開封性を向上する第１発熱体５２ａと、当該加熱時に、内容物１００を調理する第２発熱体５２ｂと、を複数有する構成であってもよい。具体的には、第１発熱体５２ａは、フランジ部２３の周辺に配置され、第２発熱体５２ｂは、フランジ部２３よりも蓋体１２Ｆの中央側に配置される。また、第２発熱体５２ｂは、第１発熱体５２ａよりも面積が大きく構成される。このような構成により、蓋体１２Ｆは、第２発熱体５２ｂのほうが第１発熱体５２ａよりも発熱量が大きくなる。
【００７４】
このような構成とすることで、蓋体１２Ｆは、第１発熱体５２ａにより、開封性を向上できる程度の発熱を生じさせ、第２発熱体５２ｂにより、第１発熱体５２ａよりも高い発熱を生じさせて、内容物１００を調理させることが可能となる。また、例えば、第２発熱体５２ｂの形状によって、内容物１００にグリル網状等の焦げ目を付けることも可能となる。
【００７５】
また、上述した例では、蓋体１２、１２Ａ、１２Ｂ、１２Ｃ、１２Ｄ、１２Ｅ、１２Ｆは、外面側からフランジ部２３に接着される側に向かって順に基材層３１、発熱体層３２及びシール層３３が一体に積層された構成を説明したがこれに限定されない。
【００７６】
例えば、蓋体は、基材層３１を有さず、発熱体層３２及びシール層３３のみを有する構成であってもよい。また、蓋体は、基材層３１及び発熱体層３２のＰＥＴフィルムを有さずに、シール層３３に発熱体５２及び保護層５３が設けられる構成であってもよい。即ち、蓋体１２、１２Ａ、１２Ｂ、１２Ｃ、１２Ｄ、１２Ｅ、１２Ｆは、電子レンジ加熱により発熱体５２が発熱することで、蓋体１２の開封性を向上可能であって、且つ、内容物１００の調理が可能な構成であれば、適宜用いることが可能となる。この他、本発明の要旨を逸脱しない範囲で種々変形実施可能である。
以下に、本願出願の当初の特許請求の範囲に記載された発明と同等の内容を付記する。
［１］  底部、前記底部に設けられた筒状の胴部、及び前記胴部の開口端外周縁に設けられたフランジ部を有する容器本体と、
電磁波を吸収して発熱する発熱層及び前記容器本体と接着性を有するシール層を有し、前記フランジ部に接着され、前記フランジ部の外周縁から前記容器本体の前記底部側に突出する、前記容器本体を密封する蓋体と、
を備えることを特徴とする電子レンジ用容器。
［２］  前記フランジ部は、前記胴部から外方に延びる平面部と、前記平面部の外周縁から前記底部側に突出する突出部とを有し、
前記蓋体は、前記平面部及び前記突出部に接着されていることを特徴とする［１］に記載の電子レンジ用容器。
［３］  前記蓋体は、前記底部まで延びることを特徴とする［１］又は［２］に記載の電子レンジ用容器。
［４］  前記発熱層は、前記フランジ部の周辺に配置される第１発熱体と、前記フランジ部よりも前記蓋体の中央側に配置され、前記第１発熱体よりも発熱量の大きい第２発熱体とを備えることを特徴とする［１］に記載の電子レンジ用容器。
【符号の説明】
【００７７】
１〜１Ｆ…電子レンジ用容器、１１…容器本体、１２〜１２Ｆ…蓋体、１３…カバー、２１…底部、２２…胴部、２３…フランジ部、２３ａ…平面部、２３ｂ…突出部、３１…基材層、３２…発熱体層、３３…シール層、３４…接着層、４１…ＰＥＴフィルム、４２…グラビア印刷層、５１…ＰＥＴフィルム、５２…金属蒸着膜、５２ａ…発熱体（第１発熱体）、５２ｂ…第２発熱体、５３…保護層、６１…ＰＥＴフィルム、６２…無機蒸着膜、６３…塗膜層、１００…内容物。
【図１】
0006746380.tif 000002
【図２】
0006746380.tif 000003
【図３】
0006746380.tif 000004
【図４】
0006746380.tif 000005
【図５】
0006746380.tif 000006
【図６】
0006746380.tif 000007
【図７】
0006746380.tif 000008
【図８】
0006746380.tif 000009
【図９】
0006746380.tif 000010
【図１０】
0006746380.tif 000011
【図１１】
0006746380.tif 000012